(57)【特許請求の範囲】
【請求項１】
複数に分割された側板で構成されたエレベータかご室と、前記側板に取付ける複数の手摺取付用のブラケットと、前記ブラケットを断面円形状でかつ平面部を設けた手摺本体に結合するために当該ブラケットに形成されたフランジと、前記手摺本体内部に挿入され手摺長手方向にスライド可能でかつ断面形状に平面部を設けたコマと、前記フランジと前記コマを締結する締結手段と、前記ブラケットが前記コマのスライドにより手摺長手方向に可動できるように前記手摺本体の下部の周面にあけられた長穴とを備え、前記コマの平面部と前記手摺本体の平面部が接するように配置したことを特徴とするエレベータかご室の手摺構造。
【請求項２】
請求項１記載のエレベータかご室の手摺構造において、前記コマの断面形状を多角形の構成としたことを特徴とするエレベータかご室の手摺構造。
【請求項３】
請求項１または２のいずれかに記載のエレベータかご室の手摺構造において、前記コマと前記手摺本体をねじ止め固定する構成としたことを特徴とするエレベータかご室の手摺構造。
【請求項４】
請求項１ないし３のいずれかに記載のエレベータかご室の手摺構造において、前記長穴に隣接した位置に前記コマの動きを制限するピンを打ち込んだ構成としたことを特徴とするエレベータかご室の手摺構造。
【請求項５】
請求項１ないし４のいずれかに記載のエレベータかご室の手摺構造において、前記ブラケットの側板に取付けるフランジを手摺長手方向に直行する方向にスライド可能な構成としたことを特徴とするエレベータかご室の手摺構造。
【発明の詳細な説明】
【０００１】
【発明の属する技術分野】
本発明は、エレベータかご室の手摺構造に関する。
【０００２】
【従来の技術】
従来のエレベータのかご室を図を参照して説明する。
図７に示すように、従来のエレベータのかご室は入口部を除く周囲を側板５で囲って構成されている。この入口部はその両側に入口柱４を設けており、この入口柱４には両端を折り曲げた鋼板が締結されている。また、かご室の側板５は鋼板の両端を折り曲げ、その折り返しを利用して隣接する側板５同士を締結する構造になっている。エレベータのかご室内の手摺は、図８に示すように手摺本体１にブラッケット２を溶接３によって固定し、このブラッケット２を側板５にボルト・ナット１６で取付、固定している。
【０００３】
【発明が解決しようとする課題】
ところで、エレベータのかご室を構成する側板５は、板金部品であるため幅方向の許容寸法誤差は通常±１ｍｍの範囲であり、側板５の分割数が増えるとその累積誤差が大きくなってしまうという可能性がある。また、側板の寸法をいくら精度良く作ろうとしても、板金部品を用いているため限界があり、さらに、組立誤差も考慮する必要があるので、累積誤差はさらに大きくなる可能性がある。
【０００４】
また、エレベータ据付時に側板の裏面に作業者が入れないことがあるため、図８のように側板５の裏面に手摺本体１を側板５に取り付けるためのナットを予め取り付けておく必要があった。
【０００５】
一方、側板５に加工された手摺取付部の位置寸法にも誤差が生じることがあり、手摺本体１をいくら精度良く製作しても側板５への手摺本体１の取り付けが困難であったり、場合によっては取り付けられない可能性があった。特に、かご室内の側板５に両側面と背面の三方一体で取付ける手摺は、その誤差により取付けが困難になる可能性が大きかった。
【０００６】
本発明は上記状況に対処するためになされたもので、本発明の目的は、エレベータかご室の側板に出来上がり寸法の誤差が生じても、エレベータかご室の側板に容易に手摺を取付けることができるエレベータかご室の手摺構造を提供することにある。
【０００７】
本発明の他の目的は、エレベータかご室の側板の出来上がり寸法や、かご室組立誤差による寸法等に誤差があっても問題なく手摺を取付けることができるエレベータかご室の手摺取付方法を提供することにある。
【０００８】
【課題を解決するための手段】
上記目的を達成するため、請求項１記載の発明は、複数に分割された側板で構成されたエレベータかご室と、前記側板に取付ける複数の手摺取付用のブラケットと、前記ブラケットを断面円形状でかつ平面部を設けた手摺本体に結合するために当該ブラケットに形成されたフランジと、前記手摺本体内部に挿入され手摺長手方向にスライド可能でかつ断面形状に平面部を設けたコマと、前記フランジと前記コマを締結する締結手段と、前記ブラケットが前記コマのスライドにより手摺長手方向に可動できるように前記手摺本体の下部の周面にあけられた長穴とを備え、前記コマの平面部と前記手摺本体の平面部が接するように配置したことを特徴とする。
【０００９】
請求項１によると、エレベータかご室の側板への取付けブラケットが手摺長手方向に摺動可動とすることで、ブラケット間の寸法調整ができるので、側板の出来上がり寸法誤差による側板の手摺取付け部間の寸法誤差が発生しても容易に手摺をかご室側板の適正位置に取付けることができる。また、手摺本体の断面形状に平面部を設け、この平面部に手摺本体内部をスライドするコマの平面部を接するように配置することで、コマの回転を抑制できる。
【００１２】
請求項２記載の発明は、請求項１記載のエレベータかご室の手摺構造において、手摺本体内部をスライドするコマの断面形状を多角形の構成としたことを特徴とする。
【００１３】
請求項２記載の発明によると、手摺本体内部をスライドするコマの断面形状を多角形にしたので、手摺本体内面との接触面積を減らすことができコマのスライドがスムーズになる。
【００１４】
請求項３記載の発明は、請求項１記載のエレベータかご室の手摺構造において、手摺本体に手摺長手方向に沿った長穴をあけると共に、手摺本体内部をスライドするコマにねじ穴をあけ、さらに前記コマのねじ穴と前記手摺本体の穴にビスを取付け、前記コマと前記手摺本体をねじ止め固定する構成としたことを特徴とする。
【００１５】
請求項３記載の発明によると、手摺本体にあけた穴と手摺本体内部をスライドするコマにあけたねじ穴にビスを取付け締め込むことにより、手摺をエレベータかご室内に取付けた後のグラツキを抑制できる。
【００１６】
請求項４記載の発明は、請求項１記載のエレベータかご室の手摺構造において、手摺本体にあけられた手摺長手方向の長穴の横にピン穴をあけ、このピン穴にピンを打ち込み、このピンにより前記コマの動きを制限する構成としたことを特徴とする。
【００１７】
請求項４記載の発明によると、手摺本体のブラケット可動用の長穴の横に穴をあけ、ピンを打ち込んでおくことにより、コマを手摺本体に入れた際、コマが長穴付近で止まるため、コマの位置を直す作業がなくなる。
【００１８】
請求項５記載の発明は、請求項１記載のエレベータかご室の手摺構造において、ブラケットの側板に取付けるフランジを手摺長手方向に直行する方向にスライド可能な構成としたことを特徴とする。
【００１９】
請求項５記載の発明によると、手摺長手方向にスライドするブラケットが手摺の横方向にもスライドすることにより、エレベータかご室の側板の出来上がり寸法や、かご室組立誤差による平面方向の寸法誤差に対して手摺を適正位置に取付けることができる。
【００２０】
【発明の実施の形態】
以下、本発明の実施の形態を図を参照して説明する。
図１は本発明の第１実施形態のエレベータかご室の手摺構造の構成図であり、同図（ａ）は側面図、同図（ｂ）は同図（ａ）をＡ方向からみた正面図、同図（ｃ）は同図（ａ）をＢ方向からみた下面図である。
【００２１】
図に示すように、本実施形態の手摺は、手摺本体１ａを、Ｌ字形に形成されたブラケット２ａのフランジ１８を介して側板５にボルト・ナット１６により締結することにより側板５に取付けられる。手摺本体１ａは円筒状をなし、その内部に手摺長手方向にスライド可能なコマ６が挿入されており、また下側の周面に手摺長手方向に沿って延びる長穴９が形成されている。ブラケット２ａの手摺本体１ａ側の端部にはフランジ７が形成されており、このフランジ７をビス８によりコマ６に締結することにより、ブラケット２ａと手摺本体１ａが連結され、しかも手摺本体１ａの手摺長手方向にあけられた長穴９に沿って移動できるようになっている。
【００２２】
本実施形態は、上記のように構成されているので、コマ６が手摺本体１ａ内をスライドでき、このコマ６に締結されたブラケット２ａが手摺長手方向に移動できることによって、ブラケット２ａの取付位置調整が容易にできる。
【００２３】
したがって、エレベータのかご室を構成する側板５の出来上がり寸法に誤差があり、側板５の手摺ブラケット取付け部間に寸法誤差が生じた場合でも容易に手摺を側板５の適正位置に取付けることができる。また、ブラケット２ａは長穴９によって手摺本体１ａの周方向への移動が制限されているので、手摺取付時にコマ６の回転による手摺本体１ａのぐらつきがなく、ブラケット２ａを側板５に取付ける作業効率が向上する。
【００２４】
図２は本発明の第２実施形態のエレベータかご室の手摺構造の側面図である。
図に示すように、本実施形態の手摺は、手摺本体１ｂの円形断面形状の下部に平面部１０を形成し、この平面部１０に長穴９を形成している。また、この手摺本体１ｂの内部にスライド可能に挿入されたコマ６の下部にも平面部１０ａを形成し、コマ６はこの平面部１０ａを介して手摺本体１ｂの平面部１０上をスライドする一方、周方向の回転ができないようにしたものである。
【００２５】
本実施形態は、上記のように構成されているので、コマ６は手摺本体１ｂの手摺長手方向にあけられた長穴９内を摺動し、ブラケット２ａを側板５の適正位置にかつコマ６が手摺本体１ｂ内部で周方向に回転しないように取付けることができ、またコマ６の回転による手摺本体１ｂのぐらつきもなくなり、かつコマ６の向きを直す作業をする必要がなくなる。
【００２６】
図３は本発明の第３実施形態のエレベータかご室の手摺構造の側面図である。
本実施形態は図２の第２実施形態に対して、手摺本体１ｂ内部をスライドするコマ６ａの断面形状を多角形とし、この多角形の一辺を手摺本体１ｂの円形断面形状の下部の平面部１０に載置した点に相違があり、その他の構成は同一であるので、同一部分には同一符号を付して説明を省略する。
【００２７】
本実施形態は、上記のようにコマ６ａの断面形状を多角形に形成し、そのうちの１つの平面部を手摺本体１ｂの平面部１０上に位置させるので、コマ６ａが手摺本体１ｂ内部で回転しないようにかつスライド可能な状態に維持して手摺本体１ｂの側板５に取付けることができ、しかもコマ６ａと手摺本体１ｂ内面との接触面積を減らすことでコマ６ａの摺動抵抗が減り、コマ６ａの動きがスムーズになる。
【００２８】
図４は本発明の第４実施形態のエレベータかご室の手摺構造の構成図であり、同図（ａ）は正面図、同図（ｂ）は同図（ａ）のＡ方向からみた下面図である。
本実施形態は図１の第１実施形態に対して、手摺本体１ａ内部をスライド可能なコマ６ｂにねじ穴（図示しない）をあけ、また、手摺本体１ａに形成されている長穴９に隣接してさらに長穴１１をあけ、この長穴１１を介してコマ６ｂのねじ穴にビス１２を取付け締め込むことにより、コマ６ｂと手摺本体１ｂを固定するようにした点に相違があり、その他の構成は同一であるので、同一部分には同一符号を付して説明を省略する。
【００２９】
本実施形態は、上記のようにビス１２によるコマ６ｂと手摺本体１ｂの固定を付加したことで、エレベータかご室の側板５に手摺を取付けた後の手摺本体１ａのグラツキをなくすことができる。
【００３０】
図５は本発明の第５実施形態のエレベータかご室の手摺構造の構成図であり、同図（ａ）は正面図、同図（ｂ）は同図（ａ）のＡ方向からみた下面図である。
本実施形態は、図１の第１実施形態に対して、手摺本体１ａの長穴９に隣接してピン穴を（図示しない）あけ、このピン穴にピン１３を打ち込んでいる点が相違し、その他の構成は同一であるので、同一部分には同一符号を付して説明を省略する。
【００３１】
本実施形態は、上記のように手摺本体１ｂの長穴に隣接して設けられたピン穴にピン１３を打ち込んでいるので、手摺製造時、コマ６を手摺本体１ａ内部に挿入した際、コマ６がピン１３に当たり手摺本体１ａの長穴９の位置で止まって位置決めされるため、ブラケット２ａに形成したフランジ７をコマ６にビス８で締結する際、コマ６の位置を長穴９の位置に調整する作業がなくなる。
【００３２】
図６は本発明の第６実施形態のエレベータかご室内の手摺構造の構成図であり、同図（ａ）は側面図、同図（ｂ）は同図（ａ）をＡ方向からみた正面図、同図（ｃ）は同図（ａ）をＢ方向からみた下面図である。
【００３３】
本実施形態は図２の第２実施形態に対して、手摺本体１ａの長穴９の横にピン穴（図示しない）をあけ、このピン穴にピン１３を打ち込んである点と、ブラケット２ｂが側板５に取付けるためのフランジ１４とブラケット２ｂを分割し、フランジ１４の穴にブラケット２ｂの軸１７を差し込み、ビス１５により固定した点と、手摺本体１ａに形成されている長穴９に隣接して長穴１１をあけ、この長穴１１に差し込んだビス１２によりコマ６と手摺本体１ａを固定した点に相違があり、その他の構成は同一であるので、同一部分には同一符号を付して説明を省略する。
【００３４】
本実施形態は、上記のようにフランジ１４とブラケット２ｂとを着脱自在に構成したので、側板５に取付けるフランジ１４を軸１７に沿って手摺長手方向に直交する方向にスライドさせて、ビス１５により固定できる。このように、側板５に取付けるフランジ１４が手摺長手方向に直行する方向にスライドすることで手摺本体１ｂ全体が手摺長手方向に直行する方向にもスライドするので、側板５の出来上がり寸法誤差や、かご室の平面寸法の組立誤差が発生した場合でも、手摺をかご室側板５の適正位置に容易に取付けることができる。
【００３５】
【発明の効果】
以上説明したように、本発明によれば、エレベータかご室を構成する側板の出来上がり寸法誤差や、かご室の平面方向での組立寸法誤差が発生した場合でも、手摺本体に取付けられるブラケットが手摺長手方向にスライドして位置調整できるので、手摺を側板の適正位置に容易に取り付けることができる。
【図面の簡単な説明】
【図１】本発明の第１実施形態のエレベータかご室の手摺構造の構成図であり、同図  （ａ）は側面図、同図（ｂ）は同図（ａ）をＡ方向からみた正面図、同図（ｃ）は同図（ａ）をＢ方向からみた下面図。
【図２】本発明の第２実施形態のエレベータかご室の手摺構造の側面図。
【図３】本発明の第３実施形態のエレベータかご室の手摺構造の側面図。
【図４】本発明の第４実施形態のエレベータかご室の手摺構造の構成図であり、同図  （ａ）は正面図、同図（ｂ）は同図（ａ）のＡ方向からみた下面図。
【図５】本発明の第５実施形態のエレベータかご室の手摺構造の構成図であり、同図  （ａ）は正面図、同図（ｂ）は同図（ａ）のＡ方向からみた下面図。
【図６】本発明の第６実施形態のエレベータかご室の手摺構造の構成図であり、同図  （ａ）は側面図、同図（ｂ）は同図（ａ）をＡ方向からみた正面図、同図（ｃ）は同図（ａ）をＢ方向からみた下面図。
【図７】従来のエレベータかご室の平面図。
【図８】図７のエレベータかご室の手摺のブラケット部の構成図であり、同図（ａ）は側面図、同図（ｂ）は同図（ａ）のＡ方向からみた下面図。
【符号の説明】
１、１ａ，１ｂ…手摺本体、２，２ａ，２ｂ…ブラケット、３…溶接部、４…入口柱、５…側板、６，６ａ，６ｂ…コマ、７，１４，１８…フランジ、８，１２…ビス、９，１１…長穴、１０，１０ａ…平面部、１３…ピン、１５…止めねじ、１６…ボルト・ナット、１７…軸。
【図１】
0004666757.tif 000002
【図２】
0004666757.tif 000003
【図３】
0004666757.tif 000004
【図４】
0004666757.tif 000005
【図５】
0004666757.tif 000006
【図６】
0004666757.tif 000007
【図７】
0004666757.tif 000008
【図８】
0004666757.tif 000009